(57)【要約】【課題】容易に他の機器と連動させることができる送風装置を得ること。【解決手段】送風装置２０は、リモートコントローラ１０と、ファン２１、ファン２１を回転させる直流モータ４、直流モータ４を制御する制御部２２、及び無線信号を受信する赤外線受光部８を備えた本体１とを有し、本体１は、外部連動端子を備え、制御部２２は、通常運転モードとスタンバイモードとのいずれかで直流モータ４を制御し、リモートコントローラ１０は、運転停止切替ボタン１１と、風量切替ボタン１２と、モード切替ボタン１３と、運転停止切替ボタン１１の操作に基づいて運転か停止かを切り替える無線信号を発信し、風量切替ボタン１２の操作に基づいてファン２１が発生させる風量を切り替える無線信号を発信し、モード切替ボタンの操作に基づいて通常運転モードとスタンバイモードとを切り替える無線信号を発信する発信部１４とを備える。【選択図】図１
2019152375.tif 000002
【特許請求の範囲】
【請求項１】
無線信号を発信するリモートコントローラと、
気流を発生させるファン、前記ファンを回転させる直流モータ、前記直流モータを制御する制御部、及び前記無線信号を受信して受信した前記無線信号に基づいた電気信号を前記制御部に出力する受信部を備えた本体とを有し、
前記本体は、他の機器が出力した信号が入力される外部連動端子を備え、
前記制御部は、前記外部連動端子への信号入力によらず前記ファンに前記気流を発生させる通常運転モードと、前記外部連動端子に信号入力がされている状態でのみ前記ファンに前記気流を発生させるスタンバイモードとのいずれかで前記直流モータを制御し、
前記リモートコントローラは、
運転停止切替ボタンと、
風量切替ボタンと、
モード切替ボタンと、
前記運転停止切替ボタンの操作に基づいて運転か停止かを切り替える前記無線信号を発信し、前記風量切替ボタンの操作に基づいて前記ファンが発生させる気流の風量を切り替える前記無線信号を発信し、前記モード切替ボタンの操作に基づいて前記通常運転モードと前記スタンバイモードとを切り替える前記無線信号を発信する発信部とを備えることを特徴とする送風装置。
【請求項２】
前記制御部は、前記スタンバイモードにおいて、前記外部連動端子の入力信号のオンに基づいて前記直流モータを駆動し、前記外部連動端子の入力信号のオフに基づいて前記直流モータの駆動を停止することを特徴とする請求項１に記載の送風装置。
【請求項３】
前記制御部は、前記外部連動端子の入力信号がオンとなった時点から第１の設定時間後に前記直流モータを駆動し、前記外部連動端子の入力信号がオフとなってから第２の設定時間経過後に前記直流モータの駆動を停止することを特徴とする請求項２に記載の送風装置。
【請求項４】
前記発信部は、
前記風量切替ボタンが普通押しされると、前記ファンが発生させる風量を切り替える前記無線信号を発信し、
前記風量切替ボタンが長押しされると、前記第１の設定時間を切り替える前記無線信号を発信し、
前記モード切替ボタンが普通押しされると、前記通常運転モードと前記スタンバイモードとを切り替える前記無線信号を発信し、
前記モード切替ボタンが長押しされると、前記第２の設定時間を切り替える前記無線信号を発信することを特徴とする請求項３に記載の送風装置。
【請求項５】
前記本体は、タクタイルスイッチを備え、
前記制御部は、前記タクタイルスイッチが普通押しされると、前記気流の風量を切り替え、前記タクタイルスイッチが長押しされると、前記通常運転モードと前記スタンバイモードとの切り替えを行うことを特徴とする請求項１から４のいずれか１項に記載の送風装置。
【請求項６】
前記本体は、運転状態を記憶する不揮発記憶装置を備え、
前記制御部は、停電によって停止した場合に、前記不揮発記憶装置に記憶されている情報に基づいて、停電前と同じ運転状態で復帰することを特徴とする請求項１から５のいずれか１項に記載の送風装置。
【発明の詳細な説明】
【技術分野】
【０００１】
本発明は、帯状の気流を下方に吹き出す送風装置に関する。
【背景技術】
【０００２】
帯状の気流を下方に吹き出す送風装置はエアカーテンとも称される。帯状の気流を下方に吹き出す送風装置は、自動ドアの上に設置されることがある。帯状の気流を下方に吹き出す送風装置を自動ドアの上に設置する場合、自動ドアが開いている間は気流を吹き出して自動ドアを通る人に付着している塵埃を吹き落としたり、自動ドアが開いている間は気流の吹き出しを停止して自動ドアを通る人に気流を直接当てないようにすることがある。すなわち、自動ドアに連動して運転させる場合がある。
【０００３】
特許文献１には、自動ドアが開いている間は送風装置からの気流の吹き出しを停止する自動ドア開閉装置が開示されている。
【先行技術文献】
【特許文献】
【０００４】
【特許文献１】実開平４−２８５８３号公報
【発明の概要】
【発明が解決しようとする課題】
【０００５】
しかしながら、特許文献１に開示される発明は、自動ドアが開いている間だけ気流が停止するように送風装置の電源回路を遮断するようなリレー回路を外付けで設ける必要がある。すなわち、特許文献１に開示される発明における送風装置は、自動ドアといった他の機器と連動させるためにリレー回路を設ける必要があり、容易に他の機器と連動させることはできなかった。
【０００６】
本発明は、上記に鑑みてなされたものであって、容易に他の機器と連動させることが可能な送風装置を得ることを目的とする。
【課題を解決するための手段】
【０００７】
上述した課題を解決し、目的を達成するために、本発明は、無線信号を発信するリモートコントローラと、気流を発生させるファン、ファンを回転させる直流モータ、直流モータを制御する制御部、及び無線信号を受信して受信した無線信号に基づいた電気信号を制御部に出力する受信部を備えた本体とを有する。本体は、他の機器が出力した信号が入力される外部連動端子を備え、制御部は、外部連動端子への信号入力によらずファンに気流を発生させる通常運転モードと、外部連動端子に信号入力がされている状態でのみファンに気流を発生させるスタンバイモードとのいずれかで直流モータを制御する。リモートコントローラは、運転停止切替ボタンと、風量切替ボタンと、モード切替ボタンと、運転停止切替ボタンの操作に基づいて運転か停止かを切り替える無線信号を発信し、風量切替ボタンの操作に基づいてファンが発生させる気流の風量を切り替える無線信号を発信し、モード切替ボタンの操作に基づいて通常運転モードとスタンバイモードとを切り替える無線信号を発信する発信部とを備える。
【発明の効果】
【０００８】
本発明によれば、容易に他の機器と連動させることができるという効果を奏する。
【図面の簡単な説明】
【０００９】
【図１】本発明の実施の形態１に係る送風装置の斜視図
【図２】実施の形態１に係る送風装置の電子回路基板の模式図
【図３】実施の形態１に係る送風装置のリモートコントローラの構成を示す模式図
【図４】実施の形態１に係る送風装置の運転状態の遷移を示す図
【図５】実施の形態１に係る送風装置の停電からの復帰時の動作の流れを示すフローチャート
【図６】実施の形態１に係る送風装置の制御部の機能をハードウェアで実現した構成を示す図
【図７】実施の形態１に係る送風装置の制御部の機能をソフトウェアで実現した構成を示す図
【発明を実施するための形態】
【００１０】
以下に、本発明の実施の形態に係る送風装置を図面に基づいて詳細に説明する。なお、この実施の形態によりこの発明が限定されるものではない。
【００１１】
実施の形態１．
図１は、本発明の実施の形態１に係る送風装置の斜視図である。実施の形態１に係る送風装置２０は、帯状の気流を下方に吹き出すエアカーテンとも称される装置であり、本体１と、リモートコントローラ１０とを有する。本体１は、気流を発生させるファン２１と、ファン２１を回転させる直流モータ４と、直流モータ４を制御する制御部２２が搭載された電子回路基板２と、外郭をなす筐体２３とを有する。直流モータ４は、供給する電流及び電圧を制御することで、回転数及びトルクを容易に制御可能である。
【００１２】
図２は、実施の形態１に係る送風装置の電子回路基板の模式図である。電子回路基板２には、制御部２２に加え、タクタイルスイッチ３、他の機器が出力した信号が入力される外部連動端子５、運転状態の情報を不揮発に記憶する不揮発記憶装置６、運転状態が変更されると電子音を発するブザー７、赤外線信号を受信し、受信した赤外線信号に基づいた電気信号を制御部２２へ出力する赤外線受光部８、電源に接続される電源接続端子９及び直流モータ４が接続されるモータ接続端子１５が実装されている。赤外線受光部８は、リモートコントローラ１０から発信された無線信号である赤外線信号を受信し、受信した赤外線信号に基づいた電気信号を制御部２２に出力する受信部である。なお、図示は省略するが、電子回路基板２には、各実装部品を接続する回路の導体パターンが形成されている。タクタイルスイッチ３、ブザー７及び赤外線受光部８は、筐体２３に形成されている開口部に合わせて配置されている。したがって、タクタイルスイッチ３は、筐体２３の外部から操作可能である。また、ブザー７は、筐体２３の外に音を発することが可能である。また、赤外線受光部８は、リモートコントローラ１０から送信された赤外線信号を受信可能である。なお、タクタイルスイッチ３、外部連動端子５、不揮発記憶装置６、ブザー７、赤外線受光部８及び制御部２２は、本体１に設けられていればよく、電子回路基板２上に実装されていなくてもよい。
【００１３】
制御部２２は、通常運転モード及びスタンバイモードの二つのモードのいずれかで直流モータ４を制御する。通常運転モードにおいては、制御部２２は、運転中に外部連動端子５への入力信号によらずファン２１に常時気流を発生させる。スタンバイモードにおいては、制御部２２は、外部連動端子５の入力信号のオンに基づいて直流モータ４を駆動し、外部連動端子５の入力信号のオフに基づいて直流モータ４の駆動を停止する。すなわち、制御部２２は、運転中に外部連動端子５への入力がオンとなっている間のみファン２１に気流を発生させる。スタンバイモード中は、制御部２２は、外部連動端子５への入力がオンとなった時点又はオンとなった時点から第１の設定時間後に直流モータ４を駆動させる。実施の形態１においては、スタンバイモード中は、外部連動端子５への入力がオンとなった時点から３秒後又は５秒後に制御部２２が直流モータ４を駆動させる設定が可能である。また、スタンバイモードでは、制御部２２は、外部連動端子５への入力がオンからオフとなった時点、又はオンからオフとなってから第２の設定時間後に直流モータ４の駆動を停止する。実施の形態１においては、スタンバイモード中は、外部連動端子５への入力がオンからオフとなった時点から５秒後又は１０秒後に制御部２２が直流モータ４の駆動を停止する設定が可能である。
【００１４】
外部連動端子５は、電圧フリー接点である。したがって、他の機器が出力した信号が設計範囲内の電圧であるならば、特定の電圧に変換することなくそのまま入力可能である。なお、実施の形態１においては、外部連動端子５には、自動ドアから出力された開閉状態を示す信号が入力されるものとする。すなわち、実施の形態１において、送風装置２０は自動ドアと連動させる。ここで、自動ドアが閉じている間はオフで、自動ドアが開いている間はオンとなる信号を外部連動端子５に入力することにより、送風装置２０は、自動ドアが開いている間だけ気流を吹き出すことができる。一方、自動ドアが閉じている間はオンで、自動ドアが開いている間はオフとなる信号を外部連動端子５に入力することにより、送風装置２０は、自動ドアが開いている間だけ気流の吹き出しを停止することができる。赤外線受光部８がリモートコントローラ１０から赤外線信号を受信した場合、及びタクタイルスイッチ３が操作された場合、制御部２２は、直流モータ４を制御して、運転停止の切り替え及び風量の切り替えを行い、送風装置２０の運転状態を変更する。
【００１５】
図３は、実施の形態１に係る送風装置のリモートコントローラの構成を示す模式図である。リモートコントローラ１０は、運転停止切替ボタン１１、風量切替ボタン１２、モード切替ボタン１３及び発信部１４を有する。運転停止切替ボタン１１、風量切替ボタン１２及びモード切替ボタン１３のいずれかが操作されると、発信部１４から赤外線信号が発信される。発信部１４は、運転停止切替ボタン１１の操作に基づいて運転か停止かを切り替える赤外線信号を発信する。また、発信部１４は、風量切替ボタン１２の操作に基づいてファン２１が発生させる風量を切り替える赤外線信号を発信する。また、発信部１４は、モード切替ボタン１３の操作に基づいて通常運転モードとスタンバイモードとを切り替える赤外線信号を発信する。
【００１６】
図４は、実施の形態１に係る送風装置の運転状態の遷移を示す図である。リモートコントローラ１０の風量切替ボタン１２及びモード切替ボタン１３は、普通押しと長押しとの二通りの操作が可能である。なお、普通押しとは、基準時間よりも短い時間で押下を終了する操作であり、長押しとは、基準時間よりも長い時間押下を続ける操作である。
【００１７】
通常運転モード及びスタンバイモードのいずれにおいても、運転中に運転停止切替ボタン１１を普通押しする操作が行われると、リモートコントローラ１０は、運転か停止かを切り替える赤外線信号を発信部１４から発信する。運転か停止かを切り替える赤外線信号を赤外線受光部８が受信すると、制御部２２は、送風装置２０が運転中であれば直流モータ４の駆動を停止させてファン２１が気流を発生させない状態に切り替える。一方、送風装置２０が停止中であれば、直流モータ４を駆動してファン２１が気流を発生させる状態に切り替える。
【００１８】
通常運転モード及びスタンバイモードのいずれにおいても、運転中に風量切替ボタン１２を普通押しする操作が行われると、リモートコントローラ１０は、ファン２１が発生させる風量を切り替える赤外線信号を発信部１４から発信する。ファン２１が発生させる風量を切り替える赤外線信号を赤外線受光部８が受信すると、制御部２２は、風量を切り替える。風量の切り替えは、風量切替ボタン１２を普通押しする操作が行われるたびに風量を１ノッチ増加させ、最大ノッチの時には最小ノッチに切り替える。通常運転モード及びスタンバイモードのいずれにおいても、停止中に風量切替ボタン１２を普通押しする操作が行われた場合、赤外線受光部８は、赤外線信号を無視し、受信した赤外線信号に基づく電気信号を制御部２２へ出力しない。したがって、通常運転モード及びスタンバイモードのいずれにおいても、停止中に風量切替ボタン１２を普通押しする操作が行われても、制御部２２は、送風装置２０の運転状態を変化させない。通常運転モード及びスタンバイモードのいずれにおいても、風量切替ボタン１２を長押しする操作が行われると、発信部１４は、第１の設定時間を切り替える赤外線信号を発信する。第１の設定時間を切り替える赤外線信号を赤外線受光部８が受信すると、制御部２２は、第１の設定時間を切り替える。第１の設定時間の切り替えは、風量切替ボタン１２を長押しする操作が行われるたびに、第１の設定時間を０秒、３秒、５秒の順で切り替え、５秒に設定されている状態では、０秒に切り替える。
【００１９】
通常運転モード中にモード切替ボタン１３を普通押しする操作が行われると、発信部１４は、通常運転モードからスタンバイモードへ切り替える赤外線信号を発信する。通常運転モードからスタンバイモードへ切り替える赤外線信号を赤外線受光部８が受信すると、制御部２２は、通常運転モードからスタンバイモードへ切り替える。また、スタンバイモード中にモード切替ボタン１３を普通押しする操作が行われると、発信部１４は、スタンバイモードから通常運転モードへ切り替える赤外線信号を発信する。スタンバイモードから通常運転モードへ切り替える赤外線信号を赤外線受光部８が受信すると、制御部２２は、スタンバイモードから通常運転モードへ切り替える。また、通常運転モード及びスタンバイモードのいずれにおいても、モード切替ボタン１３を長押しする操作が行われると、発信部１４は、第２の設定時間を切り替える赤外線信号を発信する。第２の設定時間を切り替える赤外線信号を赤外線受光部８が受信すると、制御部２２は、第２の設定時間を切り替える。第２の設定時間の切り替えは、風量切替ボタン１２を長押しする操作が行われるたびに、第２の設定時間を０秒、５秒、１０秒の順で切り替え、１０秒に設定されている状態では、０秒に切り替える。風量切替ボタン１２及びモード切替ボタン１３の長押しにより第１の設定時間及び第２の設定時間の切り替えを可能としたことにより、第１の設定時間及び第２の設定時間の切り替えのボタンを別途リモートコントローラ１０に設ける必要がない。
【００２０】
タクタイルスイッチ３は、普通押しと長押しとの二通りの操作が可能である。通常運転モード中にタクタイルスイッチ３を長押しする操作が行われると、制御部２２は、通常運転モードからスタンバイモードへ切り替える。また、スタンバイモード中にタクタイルスイッチ３を長押しする操作が行われると、制御部２２は、スタンバイモードから通常運転モードへ切り替える。通常運転モードで運転中にタクタイルスイッチ３を普通押しする操作が行われると、制御部２２は、ファン２１が発生させる風量を切り替える。風量の切り替えは、タクタイルスイッチ３を普通押しする操作が行われるたびに風量を１ノッチ増加させ、最大ノッチの時には最小ノッチに切り替える。モードが通常運転モードに設定された状態にて運転停止中にタクタイルスイッチ３を普通押しする操作が行われると、制御部２２は、直流モータ４を駆動して送風装置２０の運転を開始する。スタンバイモード中にタクタイルスイッチ３を普通押しする操作が行われると、送風装置２０の運転状態を変化させない。
【００２１】
送風装置２０と連動させる自動ドアは、人を検知してからドアが開き始めるまでの時間、及び人を検知しなくなってからドアが閉じるまでの時間が機種によって異なる。したがって、外部連動端子５への入力がオンからオフとなった時点から直流モータ４の駆動を停止させるまでの第２の設定時間を設定可能とすることで、ドアが閉じるまでの間に確実に気流を形成することができる。また、外部連動端子５への入力がオンとなった時点から直流モータ４の駆動を開始するまでの第１の設定時間を設定可能とすることで、人が通過した後にだけ気流を発生させ、人の頭に直接気流を当てないようにすることができる。
【００２２】
運転停止切替ボタン１１、風量切替ボタン１２、モード切替ボタン１３及びタクタイルスイッチ３の操作時にブザー７から電子音を発することにより、ユーザは、制御部２２が受け付けた操作の内容を聴覚に基づいて認識することができる。なお、図４では、ブザー７が発する電子音は長音、短音又は短音２回であるが、ユーザが電子音の違いによって操作内容を認識可能であればよい。
【００２３】
図５は、実施の形態１に係る送風装置の停電からの復帰時の動作の流れを示すフローチャートである。ステップＳ１において、制御部２２は、不揮発記憶装置６に記憶されている送風装置２０の運転状態の情報を読み出し、停電前にスタンバイモードであったか否かを判断する。停電前にスタンバイモードであったならば、ステップＳ１でＹｅｓとなり、ステップＳ２において、制御部２２は、送風装置２０をスタンバイモードの停止状態に移行させる。スタンバイモードの停止状態とは、スタンバイモードの設定で停止している状態である。また、制御部２２は、設定風量、第１の設定時間及び第２の設定時間を、停電前と同じ設定にする。一方、停電前にスタンバイモードでなかったならば、ステップＳ１でＮｏとなり、ステップＳ３において、制御部２２は、送風装置２０を通常運転モードの停止状態に移行させる。通常運転モードの停止状態とは、通常運転モードの設定で停止している状態である。また、制御部２２は、設定風量、第１の設定時間及び第２の設定時間を、停電前と同じ設定にする。すなわち、ステップＳ２又はステップＳ３により、制御部２２は、停電によって停止した場合に、不揮発記憶装置６に記憶されている情報に基づいて、停電前と同じ状態で復帰する。
【００２４】
制御部２２は、停電前と同じ運転状態で復帰するため、復帰時に運転モード、風量、第１の設定時間及び第２の設定時間の再設定は不要である。
【００２５】
上記の説明において、リモートコントローラ１０と本体１とは、赤外線通信を行っていたが、リモートコントローラ１０と本体１とがワイヤレスで通信を行えばよく、通信形態は赤外線通信に限定されない。
【００２６】
上記の制御部２２の機能は、処理回路により実現される。処理回路は、専用のハードウェアであっても、記憶装置に格納されるプログラムを実行する演算装置であってもよい。
【００２７】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図６は、実施の形態１に係る送風装置の制御部の機能をハードウェアで実現した構成を示す図である。処理回路２９には、制御部２２の機能を実現する論理回路２９ａが組み込まれている。処理回路２９を実現するハードウェアには、マイクロコントローラを例示できる。
【００２８】
処理回路２９が演算装置の場合、制御部２２の機能は、ソフトウェア、ファームウェア、又はソフトウェアとファームウェアとの組み合わせにより実現される。
【００２９】
図７は、実施の形態１に係る送風装置の制御部の機能をソフトウェアで実現した構成を示す図である。処理回路２９は、プログラム２９ｂを実行する演算装置２９１と、演算装置２９１がワークエリアに用いるランダムアクセスメモリ２９２と、プログラム２９ｂを記憶する記憶装置２９３を有する。記憶装置２９３に記憶されているプログラム２９ｂを演算装置２９１がランダムアクセスメモリ２９２上に展開し、実行することにより、制御部２２の機能が実現される。ソフトウェア又はファームウェアはプログラム言語で記述され、記憶装置２９３に格納される。演算装置２９１は、中央処理装置を例示できるがこれに限定はされない。
【００３０】
処理回路２９は、記憶装置２９３に記憶されたプログラム２９ｂを読み出して実行することにより、制御部２２の機能を実現する。プログラム２９ｂは、制御部２２の機能を実現する手順及び方法をコンピュータに実行させるものであるとも言える。
【００３１】
なお、処理回路２９は、一部を専用のハードウェアで実現し、一部をソフトウェア又はファームウェアで実現するようにしてもよい。
【００３２】
このように、処理回路２９は、ハードウェア、ソフトウェア、ファームウェア、又はこれらの組み合わせによって、上述の各機能を実現することができる。
【００３３】
実施の形態１に係る送風装置２０は、本体１とリモートコントローラ１０とがワイヤレス接続されるため、本体１とリモートコントローラ１０とを接続する配線の敷設作業が不要である。また、本体１が設置される出入口の周辺にリモートコントローラ１０を設置する必要がないため、リモートコントローラ１０を目立たない場所に配置して美観を損なわないようにすることができる。
【００３４】
実施の形態１に係る送風装置２０は、外部連動端子５を備えるため、自動ドアが開いている間だけファン２１に気流を発生させないように送風装置２０の電源回路を遮断するリレー回路を設けなくても、自動ドアと連動して気流を発生させることができる。なお、上記の実施の形態１では送風装置２０を自動ドアと連動させているが、連動させる相手となる他の機器は自動ドアに限定されることはない。また、実施の形態１に係る送風装置２０は、直流モータ４でファン２１を回転させるため、直流モータ４に供給する電流及び電圧を調整することで、施工後に室内外温度差及び外風の強さといった設置環境に合わせて風量設定を変えることが容易である。また、実施の形態１に係る送風装置２０は、直流モータ４でファン２１を回転させるため、運転強度を３ノッチ以上の多段階とすることが容易である。
【００３５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３６】
１  本体、２  電子回路基板、３  タクタイルスイッチ、４  直流モータ、５  外部連動端子、６  不揮発記憶装置、７  ブザー、８  赤外線受光部、９  電源接続端子、１０  リモートコントローラ、１１  運転停止切替ボタン、１２  風量切替ボタン、１３  モード切替ボタン、１４  発信部、１５  モータ接続端子、２０  送風装置、２１  ファン、２２  制御部、２３  筐体、２９  処理回路、２９ａ  論理回路、２９ｂ  プログラム、２９１  演算装置、２９２  ランダムアクセスメモリ、２９３  記憶装置。
【図１】
2019152375.tif 000003
【図２】
2019152375.tif 000004
【図３】
2019152375.tif 000005
【図４】
2019152375.tif 000006
【図５】
2019152375.tif 000007
【図６】
2019152375.tif 000008
【図７】
2019152375.tif 000009